(57)【要約】【課題】  被検者の状態をより詳細に把握することが可能な電子体温計を提供する。【解決手段】  被検者の末梢部位に固定するための固定部３２０を有する電子体温計３００であって、前記被検者の末梢部位において計測された温度に基づいて、所定の周期で、前記末梢部位の体温を算出する手段と、前記所定の周期で算出された体温のうち、予め定められた時間間隔で算出された体温どうしを比較することにより、所定の温度勾配を有する体温低下の発生と、該体温低下後の所定の温度勾配を有する体温上昇の発生と、を検出する手段と、前記所定の温度勾配を有する体温低下及び体温上昇の発生を検出した場合に、前記末梢部位において血流量の低下が生じていることを報知する手段とを備える。【選択図】  図３
2014046161.tif 000002
【特許請求の範囲】
【請求項１】
被検者の末梢部位に固定するための固定部を有する電子体温計であって、
前記末梢部位において計測された温度に基づいて、所定の周期で、前記被検者の末梢部位の体温を算出する第１の算出手段と、
前記所定の周期で算出された体温のうち、予め定められた時間間隔で算出された体温どうしを比較することにより、所定の温度勾配を有する体温低下の発生と、該体温低下後の所定の温度勾配を有する体温上昇の発生と、を検出する検出手段と、
前記所定の温度勾配を有する体温低下及び体温上昇の発生を検出した場合に、前記末梢部位において血流量の低下が生じていることを報知する報知手段と
を備えることを特徴とする電子体温計。
【請求項２】
前記末梢部位において計測された心拍に基づいて、所定の周期で、前記被検者の単位時間あたりの心拍数を算出する第２の算出手段と、
前記検出手段により、所定の温度勾配を有する体温低下及び体温上昇の発生が検出された後に、所定の温度勾配を有する体温上昇が検出され、かつ、前記第２の算出手段により、所定の増加勾配を有する心拍数増加が検出された場合に、該体温上昇の原因を判定する判定手段と、を更に備え、
前記報知手段は、前記判定手段により判定された原因であることを報知することを特徴とする請求項１に記載の電子体温計。
【請求項３】
前記予め定められた時間間隔は少なくとも６０分であり、前記所定の温度勾配は、少なくとも３０分につき１℃以上の体温変化であることを特徴とする請求項１に記載の電子体温計。
【請求項４】
前記報知手段は、前記末梢部位において血流量の低下が生じたことを報知するために、第１の色で発光し、前記判定手段により判定された原因であることを報知するために、第２の色で発光することを特徴とする請求項２に記載の電子体温計。
【請求項５】
前記被検者の末梢部位は、前記被検者の手首であることを特徴とする請求項１乃至４のいずれか１項に記載の電子体温計。
【発明の詳細な説明】
【技術分野】
【０００１】
本発明は、被検者の体温を測定する電子体温計に関するものである。
【背景技術】
【０００２】
被検者の体温を測定するための体温計として、従来より、電子体温計が広く利用されている。一般に、電子体温計は腋窩を測定部位としており、被検者が発熱した際に当該測定部位にあてがうことで測定を行う。そして、測定した結果は、被検者の発熱状態を把握するのに用いられる。
【先行技術文献】
【特許文献】
【０００３】
【特許文献１】特開２０１２−９０９４６号公報
【発明の概要】
【発明が解決しようとする課題】
【０００４】
一方で、被検者の体温は、発熱時だけでなく、発熱前においても連続的に測定しておくことで、発熱時の被検者の状態をより適確に把握することができると考えられる。
【０００５】
例えば、発熱は、体温をコントロールしている視床下部のセットポイントが引き上げられることによって生じるが、引き上げられたセットポイントに従って体温を上昇させるために、末梢部位や体表近くでは、血管が収縮され血流量が一旦低下する。このため、発熱前には、被検者に悪寒、寒気等の症状が生じる。
【０００６】
このようなことから、発熱前の体温を連続的に測定しておくことで、血流量の低下に伴って生じる、悪寒、寒気等の被検者の状態をより適確に把握できるようになるとともに、発熱を予測することも可能になると考えられる。
【０００７】
更に、体温上昇中も連続的に測定を行い、上昇度合いを算出しておくことで、被検者の体温が高温に達した場合であっても、ただちに発熱原因（細菌感染症による発熱であるのか否か）の判定を行うことが可能になると考えられる。
【０００８】
このように発熱前においても体温を連続的に測定しておくことは、特に、自分自身の状態の変化を第三者に適確に伝えることが困難な乳幼児や、発熱原因によっては、早期の対応が不可欠な高齢者にとってよりメリットが大きい。
【０００９】
本発明は、上記課題に鑑みてなされたものであり、被検者の状態をより詳細に把握することが可能な電子体温計を提供することを目的とする。
【課題を解決するための手段】
【００１０】
上記の目的を達成するために、本発明に係る電子体温計は以下のような構成を備える。即ち、
被検者の末梢部位に固定するための固定部を有する電子体温計であって、
前記末梢部位において計測された温度に基づいて、所定の周期で、前記被検者の末梢部位の体温を算出する第１の算出手段と、
前記所定の周期で算出された体温のうち、予め定められた時間間隔で算出された体温どうしを比較することにより、所定の温度勾配を有する体温低下の発生と、該体温低下後の所定の温度勾配を有する体温上昇の発生と、を検出する検出手段と、
前記所定の温度勾配を有する体温低下及び体温上昇の発生を検出した場合に、前記末梢部位において血流量の低下が生じていることを報知する報知手段とを備える。
【発明の効果】
【００１１】
本発明によれば、被検者の状態をより詳細に把握することが可能となる。
【図面の簡単な説明】
【００１２】
【図１】発熱のメカニズムを説明するための図である。
【図２】デルタ心拍数２０ルールを説明するための図である。
【図３】本発明の一実施形態に係る電子体温計の外観構成を示す図である。
【図４】電子体温計の機能構成を示す図である。
【図５】電子体温計における発熱予測処理の流れを示すフローチャートである。
【図６】発熱予測処理時のユーザインタフェースを示す図である。
【図７】電子体温計における細菌感染症判定処理の流れを示すフローチャートである。
【図８】細菌感染症判定処理時のユーザインタフェースを示す図である。
【発明を実施するための形態】
【００１３】
以下、必要に応じて添付図面を参照しながら本発明の各実施形態の詳細を説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
［第１の実施形態］
＜１．発熱のメカニズム＞
はじめに、一般的な発熱のメカニズムについて説明する。図１は、一般的な発熱のメカニズムを模式的に示した図である。
【００１５】
図１において、横軸は時間（分）を、縦軸は温度（℃）をそれぞれ表している。また、１０１は、体温をコントロールしている視床下部のセットポイントの変化を模式的に示したものであり、１０２は腋窩において測定された被検者の体温を、１０３は末梢部位（例えば、手首）において測定された被検者の体温をそれぞれ示している。
【００１６】
図１に示すように、被検者の腋窩において測定され、被検者の深部体温に近い体温を示す体温１０２は、セットポイント１０１に追従して変化する。一方、被検者の末梢部位において測定される体温１０３は、平常時においては被検者の腋窩において測定される体温１０２よりも一定程度低く測定される。
【００１７】
また、セットポイント１０１が上昇すると、当該上昇したセットポイント１０１に沿って体温１０２を追従させるべく、末梢部位や体表近くでは、血管が収縮し、血流量が一旦低下する。このため、末梢部位において測定される被検者の体温１０３は、一時的に低下する。
【００１８】
更に、末梢部位や体表近くでの血流量を低下させることで、被検者の深部体温が上昇すると、それに伴って被検者の深部体温に近い体温を示す体温１０２も上昇していく。そして、被検者の深部体温の上昇の影響を受けて、末梢部位の体温１０３も上昇していき、体温１０２に近づく。この結果、発熱時においては、被検者の腋窩において測定される体温１０２と末梢部位において測定される体温１０３は、概ね等しくなる。
【００１９】
ここで、末梢部位における血流量の低下に伴う、体温１０３の低下は、３０分間で約２℃である。また、末梢部位における血流量の低下に伴う、腋窩の体温１０２の上昇は、３０分間で約１℃である。更に、深部体温の上昇に伴う、末梢部位の体温１０３の上昇は、３０分間で約１．５℃である。
【００２０】
このような発熱のメカニズムを考慮すると、末梢部位において体温を連続的に測定することにより、発熱前の末梢部位の血流量の低下に伴う体温低下を検出することが可能となるため、発熱を予測することができる。なお、発熱予測に際して検出すべき末梢部位の体温低下は、３０分間で約２℃の温度勾配を有する体温低下であり、該体温低下後の体温上昇は、３０分間で約１．５℃の温度勾配を有する体温上昇である。
【００２１】
＜２．発熱原因の判定方法＞
次に、発熱原因（細菌感染症による発熱であるのか否か）の判定に用いる、“デルタ心拍数２０ルール”について説明する。図２は、デルタ心拍数２０ルールを説明するための図である。
【００２２】
図２において、横軸は、単位時間（１分間）あたりの心拍数が所定時間（例えば、３０分）の間に増加した数を示している。例えば、現在の被検者の１分間あたりの心拍数が８０回で、３０分前に測定された、同一被検者の１分間あたりの心拍数が６０回とすると、１分間あたりの心拍数が所定時間（３０分）の間に増加した数（心拍数増加）は、２０回となる。
【００２３】
一方、縦軸は、所定時間（例えば、３０分）の間に上昇した体温を示している。例えば、現在の被検者の体温が３８℃で、３０分前に測定された、同一被検者の体温が３７℃とすると、所定時間（３０分）の間に上昇した体温は、１℃となる。
【００２４】
図２に示すように、デルタ心拍数２０ルールでは、１分間あたりの心拍数が所定時間の間に増加した数の度合い（所定時間における心拍数の増加勾配）が、“２０回”以上で、かつ、所定時間の間に上昇した体温の上昇度合いが、“１℃”以上であった場合、当該被検者は、細菌感染症の可能性が高いと判断する。
【００２５】
一方、１分間あたりの心拍数が所定時間の間に増加した数の度合いが、“２０回”未満であるか、所定時間（３０分）の間に上昇した体温の上昇度合いが、“１℃”未満であった場合、当該被検者は、細菌感染症である可能性が低いと判断する。
【００２６】
＜３．体温計の外観構成＞
次に、上述した発熱のメカニズム、及び、発熱原因の判定方法を考慮した、被検者の発熱予測及び細菌感染症判定が可能な電子体温計について説明する。図３は、本発明の一実施形態に係る電子体温計の外観構成を示す図である。
【００２７】
このうち、図３（Ａ）は、電子体温計３００を被検者に装着した様子を示しており、図３（Ｂ）は、被検者から取り外した電子体温計３００を側面から見た様子を示している。
【００２８】
図３（Ａ）に示すように、電子体温計３００は、本体部３１０と、該本体部３１０を支持するとともに、被検者の手首に巻き回されて固定される固定部３２０とを備える。
【００２９】
本体部３１０の表面側には、電子体温計３００において測定された各種データ（体温データ、心拍数データ等）や各種メッセージを表示する表示部３１１が設けられている。
【００３０】
また、本体部３１０の表面側には、複数の色で発光可能であり、後述する発熱予測処理及び細菌感染症判定処理の処理結果に応じて点灯、点滅、消灯するランプ部３１２と、処理結果に応じて音声出力する音声出力部３１３とが設けられている。なお、表示部３１１、ランプ部３１２、音声出力部３１３を総称して、ユーザインタフェースと称する。
【００３１】
一方、図３（Ｂ）に示すように、固定部３２０は、被検者の手首に巻き回された状態で固定されるよう、側面から見た場合に、被検者の手首の断面積よりも小さい断面積を形成する円弧を有している。
【００３２】
また、本体部３１０の裏面側には、電子体温計３００の温度計測部３１５と、心拍数計測部３１６とが配されており、固定部３２０を被検者の手首に固定した状態で、連続的に、被検者の末梢部位の体温と、心拍数とを測定することができるようになっている。
【００３３】
このように、本実施形態に係る電子体温計３００は、被検者の末梢部位における体温の連続測定と、心拍数の連続測定とが同時に可能な部位として、被検者の手首に着目し、被検者の手首に固定可能な固定部３２０を有する構成とした。また、固定部３２０を被検者の手首に固定した状態で、被検者の末梢部位の体温と心拍数とが測定できるように、本体部３１０の裏面側に温度計測部３１５と心拍数計測部３１６とを配置する構成とした。
【００３４】
＜４．電子体温計の機能構成＞
次に、電子体温計３００の機能構成について説明する。図４は電子体温計３００の機能構成を示す図である。図４に示すように、電子体温計３００は、温度に比例した時間分のＯＮ信号を出力する温度計測部３１５と、心拍に応じた変位信号を出力する心拍数計測部３１６と、温度計測部３１５より出力されたＯＮ信号及び心拍数計測部３１６より出力された変位信号に基づいて各種処理を行い、被検者の体温及び心拍数を演算すると共に、電子体温計３００全体の動作を制御する演算制御部４２０と、演算された被検者の体温及び心拍数等を表示する表示部３１１と、各種操作を行うための操作部４６０と、音声データを出力する音声出力部３１３と、電源部４５０とを備える。
【００３５】
温度計測部３１５は、サーミスタ、コンデンサ、測温用ＣＲ発振回路等から構成されており、サーミスタにより検出された温度を発振信号として出力する。出力された発振信号は内部のカウンタにおいてカウントされることで、デジタル量として出力される。なお、温度計測部３１５の構成は一例であって、これに限定されるものではない。
【００３６】
演算制御部４２０は、温度計測部３１５より出力されるＯＮ信号のＯＮ時間を計測するタイマー４２２を備える。
【００３７】
また、演算制御部４２０は、タイマー４２２により計測された時間に基づいて温度データを算出することで、被検者の体温を算出するプログラムや、心拍数計測部３１６より出力される変位信号に基づいて、被検者の単位時間（１分間）あたりの心拍数を算出するプログラム、算出された体温の経時変化に基づいて、発熱予測処理を行うプログラム、ならびに算出された体温及び心拍数に基づいて、被検者の体温及び心拍数の変化量（体温変化量、心拍数変化量）を算出し、細菌感染症の可能性の有無を判定するプログラム等が格納されたＲＯＭ（記憶媒体）４２４と、算出された体温及び心拍数を一時的に記憶するためのＲＡＭ４２６と、所定の音声データが予め格納されたＥＥＰＲＯＭ４２５と、ＲＯＭ４２４に格納されたプログラムに従って演算や判断を行う演算処理部４２３とを備える。つまり、演算制御部４２０は、ＣＰＵ（中央処理装置）と、ＣＰＵにより実行される装置全体の制御プログラムや各種データを記憶するＲＯＭ４２４と、ワークエリアとして測定データや各種データを一時的に記憶するＲＡＭ４２６などを備えるコンピュータとして機能する演算処理部４２３を備えている。
【００３８】
更に、演算制御部４２０は演算処理部４２３における演算結果を表示する表示部３１１を制御するための表示制御部４２７を備える。
【００３９】
更に、演算制御部４２０は、上記タイマー４２２、表示制御部４２７、演算処理部４２３、温度計測部３１５、心拍数計測部３１６を制御する制御回路４２１を備える。
【００４０】
＜５．発熱予測処理の説明＞
次に、上述した発熱予測処理について、図５及び図６を用いて説明する。図５は、本実施形態に係る電子体温計３００において実行される、発熱予測処理の流れを示すフローチャートであり、図６は、発熱予測処理が実行された場合の、電子体温計３００のユーザインタフェースを示す図である。
【００４１】
電子体温計３００の電源が投入されると、ステップＳ５０１では、所定のサンプリング周期（Ｓｔ）が経過したか否かを判定する。ステップＳ５０１において、所定のサンプリング周期（Ｓｔ）が経過していないと判定された場合には、経過するまで待機する。
【００４２】
一方、所定のサンプリング周期（Ｓｔ）が経過したと判定された場合には、ステップＳ５０２に進み、温度計測部３１５の出力に基づいて、被検者の末梢部位の体温を算出する。更に、ステップＳ５０３では、ステップＳ５０２において算出された体温を、測定データとしてＲＡＭ４２６に記憶する。
【００４３】
ステップＳ５０４では、今回記憶された測定データと、所定時間間隔Ｃｔ（Ｃｔは例えば６０分）前に記憶された測定データとを比較し、差分ΔＴを算出する。ステップＳ５０５では、ステップＳ５０４において算出されたΔＴがマイナスか否かを判定する。ステップＳ５０５における判定の結果、ΔＴがマイナスでないと判定された場合には、ステップＳ５０６に進み、血流量の低下に伴う体温低下の発生及び該体温低下後の体温上昇の発生を示すパラメータＳをリセットした後、ステップＳ５０１に戻る。
【００４４】
一方、ステップＳ５０５における判定の結果、ΔＴがマイナスであると判定された場合には、ステップＳ５０７に進む。ステップＳ５０７では、ステップＳ５０４において算出されたΔＴとサンプリング周期Ｓｔとを積算することにより得られた値を、前回算出されたパラメータＳに加える。
【００４５】
このように、ΔＴとサンプリング周期Ｓｔとの積算値を積分していくことで、図１の体温１０３における網掛け部分５００の面積（つまり、血流量の低下に伴う体温低下の発生及び該体温低下後の体温上昇の発生）を算出することができる。
【００４６】
ステップＳ５０８では、ステップＳ５０７において算出されたパラメータＳが所定の閾値以上であるか否かを判定する。ステップＳ５０８において、パラメータＳが所定の閾値以上でないと判定された場合には、ステップＳ５０１に戻り、上記処理を繰り返す。
【００４７】
上述したとおり、血流量の低下に伴う末梢体温の体温低下は、３０分につき約２℃であり、該体温低下後の体温上昇は３０分につき約１．５℃であることから、ステップＳ５０８における判定に用いられる閾値は、例えば、３０×２×１／２＋３０×１．５×１／２＝５２．５が妥当である。
【００４８】
一方、ステップＳ５０８において、パラメータＳが所定の閾値以上であると判定された場合には、ステップＳ５０９に進み、発熱前の末梢部位の血流量の低下が発生したと判定する。
【００４９】
ステップＳ５１０では、被検者が発熱する可能性があることを示す警告を報知する。図６を用いて具体的に説明する。
【００５０】
図６（Ａ）は、血流量の低下が発生する前の電子体温計３００のユーザインタフェースを示している。図６（Ａ）に示すように、血流量の低下が発生する前の状態では、ランプ部３１２は青色が点灯している。
【００５１】
一方、図６（Ｂ）は、ステップＳ５０９において、血流量の低下が発生したと判定された場合の電子体温計３００のユーザインタフェースを示している。図６（Ｂ）に示すように、血流量の低下が発生したと判定されると、ランプ部３１２は黄色の点滅に変わる。また、表示部３１１には、血流量の低下と発熱の可能性とを知らせるメッセージが表示される。更に、音声出力部３１３からは、所定のアラームが出力される。
【００５２】
＜６．細菌感染症判定処理の説明＞
次に、上述した細菌感染症判定処理の流れについて、図７及び図８を用いて説明する。図７は、本実施形態に係る電子体温計３００において実行される、細菌感染症判定処理の流れを示すフローチャートであり、図８は、細菌感染症判定処理が実行された場合の、電子体温計３００のユーザインタフェースを示す図である。
【００５３】
電子体温計３００の電源が投入されると、ステップＳ７０１では、末梢部位の血流量の低下が発生したか否かを判定する。図５のステップＳ５０９において、末梢部位の血流量の低下が発生したと判定された場合には、ステップＳ７０２に進む。一方、末梢部位の血流量の低下が発生したと判定されなかった場合には、末梢部位の血流量の低下が発生するまで待機する。
【００５４】
ステップＳ７０２では、所定のサンプリング周期（Ｓｔ）が経過したか否かを判定する。ステップＳ７０２において、所定のサンプリング周期（Ｓｔ）が経過していないと判定された場合には、経過するまで待機する。
【００５５】
一方、所定のサンプリング周期（Ｓｔ）が経過したと判定された場合には、ステップＳ７０３に進み、温度計測部３１５の出力に基づいて、被検者の末梢部位における体温を算出する。更に、心拍数計測部３１６の出力に基づいて、被検者の１分間あたりの心拍数を算出する。
【００５６】
ステップＳ７０４では、ステップＳ７０３において算出された体温及び心拍数を、測定データとしてＲＡＭ４２６に記憶するとともに、表示部３１１に表示する。
【００５７】
ステップＳ７０５では、今回記憶された測定データと、所定時間間隔Ｃｔ（Ｃｔは例えば３０分）前に記憶された測定データとを比較し、差分ΔＴ、ΔＨを算出する。
【００５８】
ステップＳ７０６では、ステップＳ７０５において算出されたΔＴが１℃以上であるか否かを判定する。ステップＳ７０６においてΔＴが１℃以上であると判定された場合には、ステップＳ７０７に進む。
【００５９】
ステップＳ７０７では、ステップＳ７０５において算出されたΔＨが２０回以上であるか否かを判定する。ステップＳ７０７においてΔＨが２０回以上であると判定された場合には、ステップＳ７０８に進む。
【００６０】
ステップＳ７０８では、細菌感染症による発熱であると判定し、ステップＳ７０９では、被検者の発熱が細菌感染症によるものであることを示す警告を報知する。図８を用いて具体的に説明する。
【００６１】
図８（Ａ）は、血流量の低下が発生した状態であって、細菌感染症による発熱であると判定される前の電子体温計３００のユーザインタフェースを示している。図８（Ａ）に示すように、細菌感染症による発熱であると判定される前の状態では、ランプ部３１２は黄色が点滅し、表示部３１１には、現在の体温と心拍数とが表示される。
【００６２】
一方、図８（Ｂ）は、ステップＳ７０８において、細菌感染症による発熱であると判定した場合の電子体温計３００のユーザインタフェースを示している。図８（Ｂ）に示すように、細菌感染症による発熱であると判定されると、ランプ部３１２は赤色の点滅に変わる。また、表示部３１１には、現在の体温と心拍数に加え、細菌感染症による発熱であることを知らせるメッセージが表示される。更に、音声出力部３１３からは、所定のアラームが出力される。
【００６３】
図７に戻る。ステップＳ７０６において、ΔＴが１℃以上でないと判定された場合には、ステップＳ７１０に進む。同様に、ステップＳ７０７において、ΔＨが２０回以上でないと判定された場合には、ステップＳ７１０に進む。
【００６４】
ステップＳ７１０では、現在の体温Ｔが３７℃以上であるか否かを判定する。ステップＳ７１０において、現在の体温Ｔが３７℃以上でないと判定した場合には、被検者は発熱していないと判断し、ステップＳ７０２に戻る。
【００６５】
一方、ステップＳ７１０において、現在の体温Ｔが３７℃以上であると判定した場合には、被検者は発熱しているが、細菌感染症による発熱ではないと判定し、ステップＳ７１１に進み、警告を報知する。図８を用いて具体的に説明する。
【００６６】
図８（Ｃ）は、ステップＳ７１０における判定の結果、被検者は発熱しているが、細菌感染症による発熱ではないと判定した場合の電子体温計３００のユーザインタフェースを示している。図８（Ｃ）に示すように、被検者が発熱していると判定されると、ランプ部３１２は赤色の点灯に変わる。
【００６７】
以上の説明から明らかなように、本実施形態に係る電子体温計３００は、末梢部位の体温と心拍数とを測定できる部位として、被検者の手首に着目し、被検者の手首に固定できる構成とした。
【００６８】
また、発熱のメカニズムとして、発熱前の末梢部位における血流量の低下に着目し、末梢部位における所定の温度勾配の体温低下の発生及び該体温低下後の所定の温度勾配の体温上昇の発生を検出する構成とした。
【００６９】
更に、デルタ心拍数２０ルールに基づいて、末梢部位における血流量の低下が発生した後の体温上昇と、心拍数上昇とを検出する構成とした。
【００７０】
これにより、被検者の発熱予測と発熱原因の判定を行うことが可能となり、被検者の状態をより詳細に把握することが可能となった。
【００７１】
［第２の実施形態］
上記第１の実施形態の細菌感染症判定処理では、末梢部位の血流量が低下したと判定されたことを条件に、体温の算出及び心拍数の算出を行う構成としたが、本発明はこれに限定されない。
【００７２】
例えば、末梢部位の血流量が低下したか否かに関わらず、所定のサンプリング周期（Ｓｔ）で体温の算出及び心拍数の算出を行い、体温が所定の値（例えば、３７℃）以上になり、被検者が発熱したと判定した場合に、発熱原因（細菌感染症による発熱であるのか否か）を判定する構成としてもよい。
【００７３】
［第３の実施形態］
上記第１の実施形態では、算出された被検者の体温の変化に基づいて、発熱予測処理及び細菌感染症判定処理を行う構成としたが、本発明はこれに限定されない。例えば、被検者の末梢部位における体温は、周辺の環境温度の影響を受けやすいことから、環境温度を測定する環境温度計測部を設け、算出された被検者の体温を、測定された環境温度に基づいて補正したうえで、発熱予測処理及び細菌感染症判定処理を行うように構成してもよい。
【００７４】
［第４の実施形態］
上記第１の実施形態では、図２に示すデルタ心拍数２０ルールに基づいて、細菌感染症による発熱であるのか否かを判定する構成としたが、本発明はこれに限定されない。例えば、細菌感染症による発熱であると判定された場合にあっては、所定時間の間に上昇した体温の値ΔＴと、１分間あたりの心拍数が所定時間の間に増加した数ΔＨとに基づいて、更に、細菌感染症の危険性のレベルを判断するように構成してもよい。
【００７５】
［その他の実施形態］
上記第１乃至第４の実施形態では、温度計測部３１５、心拍数計測部３１６、環境温度計測部の詳細構成について言及しなかったが、これらの計測部における計測方法は、特定の計測方法に限定されるものではなく、任意の計測方法が適用可能であることはいうまでもない。
【符号の説明】
【００７６】
３００：電子体温計、３１０：本体部、３１１：表示部、３１２：ランプ部、３１３：音声出力部、３１５：温度計測部、３１６：心拍数計測部、３２０：固定部
【図１】
2014046161.tif 000003
【図２】
2014046161.tif 000004
【図３】
2014046161.tif 000005
【図４】
2014046161.tif 000006
【図５】
2014046161.tif 000007
【図６】
2014046161.tif 000008
【図７】
2014046161.tif 000009
【図８】
2014046161.tif 000010